(57)【要約】【課題】本発明は、伝送路に通信障害が発生した場合の回復を迅速とし、ループバックに伴うデータロスを低減させ、通信動作を安定化させることを目的とする。【解決手段】本発明によるループ式通信装置は、信号受信手段(11,14)と信号送信手段(13,16)とセレクタ(12,15)の組合せからなる２次局(32)、信号受信手段(21,23)と信号送信手段(22,24)とノードアドレス検出手段(25)とノードアドレス記憶手段(26)とからなる１次局(31)、をループ状に接続し、通信障害が発生した場合、各セレクタ(12,15)によって切り替えることにより通信を復活させる構成である。【選択図】図１
2009219025.tif 000002
【特許請求の範囲】
【請求項１】
伝送方向が互いに逆向きの運用系伝送路(1)と待機系伝送路(2)からなる二重の伝送路によってループ状に接続して構成されたループ式通信装置において、
前記運用系伝送路(1)の信号が入力され、入力信号を検出する機能を有した第１信号受信手段(11)と、
前記待機系伝送路(2)の信号が入力され、入力信号を検出する機能を有した第２信号受信手段(14)と、
前記第１信号受信手段(11)の出力及び前記第２信号受信手段(14)の出力が供給され、前記第１信号受信手段(11)によって入力信号を検出した時は前記第１信号受信手段(11)の出力に切換え、入力信号を検出しない時は前記第２信号受信手段(14)の出力に切り替えるようにした第１セレクタ(12)と、
前記第１セレクタ(12)の出力が供給され、前記運用系伝送路(1)へ信号を出力するための第１信号送信手段(13)と、
前記第２信号受信手段(14)の出力及び前記第１信号受信手段(11)の出力が供給され、前記第２信号受信手段(14)によって入力信号を検出した時は前記第２信号受信手段(14)の出力に切換え、入力信号を検出しない時は前記第１信号受信手段(11)の出力に切り替えるようにした第２セレクタ(15)と、
前記第２セレクタ(15)の出力が供給され、前記第１信号受信手段(11)によって入力信号を検出した時は前記待機系伝送路(2)へ信号を出力し、入力信号を検出しない時は信号を出力しないようにした第２信号送信手段(16)と、
によって構成することを特徴とするループ式通信装置。
【請求項２】
請求項１のループ式通信装置を２次局に持つループ式通信装置において、
前記待機系伝送路(2)の信号が入力される第４信号受信手段(23)と、前記第４信号受信手段(23)の通信フレームからノードアドレスを検出するノードアドレス検出手段(25)と、前記ノードアドレス検出手段(25)の出力を記憶するノードアドレス記憶手段(26)と、
を具備することを特徴とするループ式通信装置。
【発明の詳細な説明】
【技術分野】
【０００１】
本発明は、ループ式通信装置に関し、特に、伝送路に通信障害が発生した場合の回復を迅速とし、ループバックに伴うデータロスを低減することによって、通信動作の安定化を得るための新規な改良に関する。
【背景技術】
【０００２】
従来、この種のループ式通信装置としては、社内製作のみで、特に特許出願を行っていないため、特許文献等を開示していないが、一例を述べると、伝送方向が互いに逆向きの二重の伝送路によって、１次局と複数の２次局とをループ状に接続したループ式通信装置では、伝送路の一方を運用系としてデータ信号の伝送を行い、他方を待機系として障害発生時の迂回路として運用している。
また、伝送路に通信障害（例えば通信断）が発生した場合は、障害発生箇所の２次局が異常を検知し、１次局へ通知を行う。この通知を受けた１次局では通信を中断し、障害箇所の特定を行い、障害箇所を迂回するよう所望の２次局に対してループ切り換え命令を出力する。この命令を受けた２次局は運用系と待機系の伝送路を接続してループバックを行う。その後、１次局は伝送路の確保がなされたことを確認して通信を再開する。
【発明の開示】
【発明が解決しようとする課題】
【０００３】
従来のループ式通信装置は、以上のように構成されていたため、次のような課題が存在していた。
すなわち、伝送路に通信障害が発生した場合、異常を検知してから通信を中断し、最終的に通信が再開されるまでにはかなりの時間を要するため、その間の通信が行えず、ループ式通信装置の安定動作が損なわれ、ダウン要因となっていた。
【課題を解決するための手段】
【０００４】
本発明によるループ式通信装置は、伝送方向が互いに逆向きの運用系伝送路と待機系伝送路からなる二重の伝送路によってループ状に接続して構成されたループ式通信装置において、前記運用系伝送路の信号が入力され、入力信号を検出する機能を有した第１信号受信手段と、前記待機系伝送路の信号が入力され、入力信号を検出する機能を有した第２信号受信手段と、前記第１信号受信手段の出力及び前記第２信号受信手段の出力が供給され、前記第１信号受信手段によって入力信号を検出した時は前記第１信号受信信号の出力に切換え、入力信号を検出しない時は前記第２信号受信手段の出力に切り替えるようにした第１セレクタと、前記第１セレクタの出力が供給され、前記運用系伝送路へ信号を出力するための第１信号送信手段と、前記第２信号受信手段の出力及び前記第１信号受信手段の出力が供給され、前記第２信号受信手段によって入力信号を検出した時は前記第２信号受信手段の出力に切換え、入力信号を検出しない時は前記第１信号受信手段の出力に切り替えるようにした第２セレクタと、前記第２セレクタの出力が供給され、前記第１信号受信手段によって入力信号を検出した時は前記待機系伝送路へ信号を出力し、入力信号を検出しない時は信号を出力しないようにした第２信号送信手段とよりなる構成であり、また、請求項１のループ式通信装置を２次局に持つループ式通信装置において、前記待機系伝送路の信号が入力される第４信号受信手段と、前記第４信号受信手段の通信フレームからノードアドレスを検出するノードアドレス検出手段と、前記ノードアドレス検出手段の出力を記憶するノードアドレス記憶手段と、を具備する構成である。
【発明の効果】
【０００５】
本発明によるループ式通信装置は、以上のように構成されているため、次のような効果を得ることができる。
すなわち、請求項１記載のループ式通信装置は、伝送路の状態監視を運用系と待機系とで独立して行い、通信障害発生時には入力信号が遮断されたことを検出して直ちにループバック回路を形成し、通信経路の確保を行うように構成したので、ループバックに伴う通信データのロスを１パケット程度に抑制することができ、ループ式通信装置としてより安定した通信動作を得られる効果がある。
また、請求項２記載の構成により、１次局では通信障害発生時にループバックされる通信フレームから応答パケットのノードアドレスを検出するように構成したので、特別な回路や通知手段を要することなく、容易に通信障害の検知と障害箇所の特定が行える効果がある。
【発明を実施するための最良の形態】
【０００６】
本発明は、伝送路に通信障害が発生した場合の回復を迅速とし、ループバックに伴うデータロスを低減することによって、通信動作の安定化を得るようにしたループ式通信装置を提供することを目的とする。
【実施例】
【０００７】
以下、図面と共に本発明によるループ式通信装置の好適な実施の形態について説明する。
図１は本発明によるループ式通信装置の２次局３２の内部構成を示すブロック図であり、運用系伝送路１の信号が入力され、この入力信号１ａを検出する機能を有した第１信号受信手段１１と、待機系伝送路２の信号が入力され、この入力信号２ａを検出する機能を有した第２信号受信手段１４と、前記第１信号受信手段１１の出力１１ａと、前記第２信号受信手段１４の出力１４ａが供給され、前記第１信号受信手段１１によって入力信号１ａを検出した時は前記第１信号受信手段１１の出力１１ａに、入力信号１ａを検出しない時は前記第２信号受信手段１４の出力１４ａに切り替える第１セレクタ１２と、前記第１セレクタ１２の出力１２ａが供給され、前記運用系伝送路１へ信号を出力する第１信号送信手段１３と、前記第２信号受信手段１４の出力と、前記信号受信手段１１の出力１１ａが供給され、前記第２信号受信手段１４によって入力信号２ａを検出した時は第２信号受信手段１４の出力に切り替え、入力信号２ａを検出しない時は前記第１信号受信手段１１の出力１１ａに切り替える第２セレクタ１５と、前記第２セレクタ１５の出力１５ａが供給され、前記第１信号受信手段１１によって入力信号１ａを検出した時は待機系伝送路２へ信号を出力し、入力信号１ａを検出しない時は信号を出力しないようにした第２信号送信手段１６から構成されている。
【０００８】
すなわち、前記第１信号受信手段１１は、前記第１、第２セレクタ１２，１５に接続されていると共に、前記第１セレクタ１２を介して前記第１信号送信手段１３に接続されている。前記第２信号受信手段１４は、前記第１、第２セレクタ１２，１５に接続されていると共に、前記第２セレクタ１５は前記第２信号送信手段１６に接続されている。
【０００９】
図２は本発明によるループ式通信装置の１次局３１の内部構成を示すブロック図であり、前記待機系伝送路２の信号が入力される第４信号受信手段２３と、前記第４信号受信手段２３の通信フレームからノードアドレスを検出するノードアドレス検出手段２５と、前記ノードアドレス検出手段２５の出力を記憶するノードアドレス記憶手段２６を具備して構成されている。
また、前記運用系伝送路１は第３信号受信手段２１に接続され、第３信号送信手段２２は前記運用系伝送路１に接続されている。
【００１０】
次に、前述の１次局３１と２次局３２を用いてループ通信を行うようにした本発明によるループ通信装置の形態の一例を図３に示す。
図３において、１台の１次局３１と３台（３台以上も可）の２次局３２，３３，３４が用いられ、信号の伝送方向が互いに逆向きの運用系伝送路３０１〜３０４と待機系伝送路３１１〜３１４の二重の伝送路によってループ状に接続されている。
尚、前記各運用系伝送路３０１〜３０４及び待機系伝送路３１１〜３１４は、何れも説明上明確となるように、前述の図１及び図２の運用系伝送路１及び待機系伝送路２に符号を追加して示しているもので、運用系伝送路１（３０１〜３０４）、待機系伝送路２（３１１〜３１４）として説明する。
【００１１】
図４は図３に示したループ式通信装置において、２次局３３と２次局３４を接続する運用系伝送路３０３に通信障害が発生し通信不能になった状態を示している。
この場合、２次局３４は前記第１信号受信手段１１にて運用系伝送路３０３の入力信号を検出しなくなるので、直ちに信号送信手段１６により待機系伝送路３１３への信号出力を停止すると共に、前記第１セレクタ１２を前記第２信号受信手段１４の出力に切り替えることによって、待機系伝送路３１４の入力信号を運用系伝送路３０４へ折り返し出力して通信経路の確保を行うことができる。
また、２次局３３は、２次局３４が信号出力を停止したことに伴い、前記第２信号受信手段１４にて待機系伝送路３１３の入力信号を検出しなくなるので、直ちにセレクタ１５を信号受信手段１１の出力に切り替えることによって、運用系伝送路３０２の入力信号を待機系伝送路３１２へ折り返し出力して通信経路の確保を行うと共に、前記第１信号送信手段１３にて運用系伝送路３０３へ信号を出力する。
この時、１次局３１は、待機系伝送路の前記第４信号受信手段２３の通信フレームから前記ノードアドレス検出手段２５とノードアドレス記憶手段２６により応答パケットのノードアドレスを検出するが、２次局３４のノードアドレスが含まれていないことから、２次局３３と２次局３４の間に通信障害が発生したことを検知すると共に障害箇所の特定を行う。
【００１２】
次に、前記通信障害が復旧した場合、２次局３４は前記第１信号受信手段１１にて運用系伝送路３０３の入力信号を検出するので、直ちに前記第２信号送信手段１６により待機系伝送路３１３への信号出力を再開すると共に、前記第１セレクタ１２を前記第１信号受信手段１１の出力に切り替えることによって、折り返し出力を解除して伝送路を回復させることができる。
また、２次局３３は、前記第２信号受信手段１４にて待機系伝送路３１３の入力信号を検出するので、直ちに前記第２セレクタ１５を前記第２信号受信手段１４の出力に切り替えることによって、折り返し出力を解除して伝送路を回復させる。
この時、１次局３１は、待機系伝送路の前記第４信号受信手段２３の通信フレームからノードアドレス検出手段２５とノードアドレス記憶手段２６により応答パケットのノードアドレスを検出しなくなるので、通信障害が復旧したことを検知する。
【００１３】
図５は図３に示したループ式通信装置において、２次局３３と２次局３４を接続する待機系伝送路３１３に通信障害が発生し通信不能になった状態を示している。
この場合、２次局３３は、前記第２信号受信手段１４にて待機系伝送路３１３の入力信号を検出しなくなるので、直ちに前記第２セレクタ１５を前記第１信号受信手段１１の出力に切り替えることによって、運用系伝送路３０２の入力信号を待機系伝送路３１２へ折り返し出力すると共に、前記第１信号送信手段１３にて運用系伝送路３０３へ信号出力するが、運用系伝送路３０３には通信障害が発生していないため、運用系伝送路の通信は継続される。
この時、１次局３１は、待機系伝送路の前記第４信号受信手段２３の通信フレームから前記ノードアドレス検出手段２５とノードアドレス記憶手段２６により応答パケットのノードアドレスを検出するが、２次局３４のノードアドレスが含まれていないことから、２次局３３と２次局３４の間に通信障害が発生したことを検出すると共に障害箇所の特定を行うことができる。
【００１４】
次に、前記通信障害が復旧した場合、前記２次局３３は、前記第２信号受信手段１４にて待機系伝送路３１３の入力信号を検出するので、直ちに前記第２セレクタ１５を前記第２信号受信手段１４の出力に切り替えることによって、折り返し出力を解除して伝送路を回復させる。
この時、１次局３１は、待機系伝送路の前記第４信号受信手段２３の通信フレームから前記ノードアドレス検出手段２５とノードアドレス記憶手段２６により応答パケットのノードアドレスを検出しなくなるので、通信障害が復旧したことを検知する。
【００１５】
図６は図３に示したループ式通信装置において、２次局３３と２次局３４を接続する運用系伝送路３０３と待機系伝送路３１３の双方に通信障害が発生し通信不能になった状態を示している。
この場合、２次局３４は信号受信手段１１にて運用系伝送路３０３の入力信号を検出しなくなるので、直ちに前記第２信号送信手段１６により待機系伝送路３１３への信号出力を停止すると共に、前記第１セレクタ１２を前記第２信号受信手段１４の出力に切り替えることによって、待機系伝送路３１４の入力信号を運用系伝送路３０４へ折り返し出力して通信経路の確保を行うことができる。
【００１６】
また、２次局３３は、前記第２信号受信手段１４にて待機系伝送路３１３の入力信号を検出しなくなるので、直ちに前記第２セレクタ１５を前記第１信号受信手段１１の出力１１ａに切り替えることによって、運用系伝送路３０２の入力信号を待機系伝送路３１２へ折り返し出力して通信経路の確保を行うと共に、前記信号送信手段１３にて運用系伝送路３０３へ信号出力する。
この時、１次局３１は、待機系伝送路の前記第４信号受信手段２３の通信フレームから前記ノードアドレス検出手段２５とノードアドレス記憶手段２６により応答パケットのノードアドレスを検出するが、２次局３４のノードアドレスが含まれていないことから、２次局３３と２次局３４の間に通信障害が発生したことを検知すると共に障害箇所の特定を行う。
【００１７】
次に、前記通信障害が復旧した場合、２次局３４は前記第１信号受信手段１１にて運用系伝送路３０３の入力信号を検出するので、直ちに前記第２信号送信手段１６により待機系伝送路３１３への信号出力を再開すると共に、前記第１セレクタ１２を前記第１信号受信手段１１の出力に切り替えることによって、折り返し出力を解除して伝送路を回復させる。
２次局３３は、前記第２信号受信手段１４にて待機系伝送路３１３の入力信号を検出するので、直ちに前記第２セレクタ１５を前記第２信号受信手段１４の出力に切り替えることによって、折り返し出力を解除して伝送路を回復させる。
この時、１次局３１は、待機系伝送路の第４信号受信手段２３の通信フレームから前記ノードアドレス検出手段２５とノードアドレス記憶手段２６により応答パケットのノードアドレスを検出しなくなるので、通信障害が復旧したことを検知する。尚、図４〜図６における２次局３３において、ループバック状態を図示している。
【図面の簡単な説明】
【００１８】
【図１】本発明によるループ式通信装置の２次局の内部構成を示すブロック図である。
【図２】本発明によるループ式通信装置の１次局の内部構成を示すブロック図である。
【図３】図１及び図２の１次局及び２次局を用いたループ式通信装置を示す構成図である。
【図４】本発明の運用系伝送路に通信障害が発生した時に、障害箇所を回避して通信を回復させる状態を示す構成図である。
【図５】本発明の待機系伝送路に通信障害が発生した時に、障害箇所を回避して通信を回復させる状態を示す構成図である。
【図６】本発明による運用系伝送路と待機系伝送路の双方に通信障害が発生した時に、障害箇所を回避して通信を回復させる状態を示す構成図である。
【符号の説明】
【００１９】
１    運用系伝送路
１ａ    入力信号
２    待機系伝送路
２ａ    入力信号
１１    第１信号受信手段
１１ａ    出力
１２    第１セレクタ
１２ａ    出力
１３    第１信号送信手段
１４    第２信号受信手段
１４ａ    出力
１５    第２セレクタ
１５ａ    出力
１６    第２信号送信手段
２１    第３信号受信手段
２２    第３信号送信手段
２３    第４信号受信手段
２４    第４信号送信手段
２５    ノードアドレス検出手段
２６    ノードアドレス記憶手段
３１    １次局
３２，３３，３４    ２次局
３０１，３０２，３０３，３０４    運用系伝送路
３１１，３１２，３１３，３１４    待機系伝送路
【図１】
2009219025.tif 000003
【図２】
2009219025.tif 000004
【図３】
2009219025.tif 000005
【図４】
2009219025.tif 000006
【図５】
2009219025.tif 000007
【図６】
2009219025.tif 000008